(57)【要約】【課題】面外方向に対向した突片を有した溝に補助部品を、その突片を切欠き加工せずに取り付け、取り外しできるようにした建具とする。【解決手段】枠体１を構成する枠材１０は、面外方向に対向した突片１３を有し長手方向に連続した溝１４を備え、補助部品（障子外れ止め具４）は、第１部材３０と第２部材４０を備え、前記第１部材３０は、一側面に前記一方の突片１３に嵌合する凹部３１を長手方向に連続して有し、他側面に突部３２を有し、前記溝１４の面外方向一側寄りに長手方向にスライド自在に取付けられる形状で、前記第２部材４０は、他側面に前記他方の突片１３に嵌合する凹部４２を長手方向に連続して有し、一側面に凹陥部４１を有し、前記溝１４の面外方向他側寄りに長手方向にスライド自在に取付けられる形状で、前記第１部材３０と第２部材４０は、長手方向にスライドすることで前記突部３２と凹陥部４１が嵌合して一体的に連結されるようにした建具。【選択図】図３
2008196186.tif 000002
【特許請求の範囲】
【請求項１】
枠体に障子を開閉自在に取付け、その枠体の枠材に補助部品を取付けた建具であって、
前記枠材は、面外方向に対向した突片を有し長手方向に連続した溝を備え、
前記補助部品は、第１部材と第２部材を備え、
前記第１部材は、一側面に前記一方の突片に嵌合する凹部を長手方向に連続して有し、他側面に突部を有し、前記溝の面外方向一側寄りに長手方向にスライド自在に取付けられる形状で、
前記第２部材は、他側面に前記他方の突片に嵌合する凹部を長手方向に連続して有し、一側面に凹陥部を有し、前記溝の面外方向他側寄りに長手方向にスライド自在に取付けられる形状で、
前記第１部材と第２部材は、長手方向にスライドすることで前記突部と凹陥部が嵌合して一体的に連結されることを特徴とする建具。
【請求項２】
面外方向の一側面に、長手方向に連続した凹部を有し、面外方向他の側面の長手方向一端寄りに突部、他端寄りに凹陥部を有する部材を第１部材とし、
前記部材を長手方向に反転することで第２部材とした請求項１記載の建具。
【請求項３】
補助部品の表側面と裏側面に貫通してビス挿通孔を形成し、このビス挿通孔にビスを螺合して溝の底面に突き当てることで各凹部を各突片に押しつけるようにした請求項１又は２記載の建具。
【請求項４】
ビス挿通孔は大径孔と小径孔を有し、かつ第１部材の他側面と第２部材の一側面に対向して形成した半円形凹部で形成され、
ビスの螺子部が、前記小径孔の半円形凹部における開口縁部分のみを削りながら螺合するようにした請求項３記載の建具。
【請求項５】
第１部材の他側面、第２部材の一側面における大径孔の半円形凹部を形成した部分が接し、
前記第１部材の他側面、第２部材の一側面における小径孔の半円形凹部を形成した部分が面外方向に離隔して小径孔を仮想長円形状とすることで、ビスの螺子部が小径孔の半円形凹部の開口縁部分を削りながら螺合するようにした請求項４記載の建具。
【請求項６】
面外方向の一側面の上下に、長手方向に連続した凹部をそれぞれ有し、面外方向他側面の上下に、突部と凹陥部を長手方向に連続して有する部材を第１部材とし、
この部材を長手方向及び上下方向に反転して第２部材とし、
前記第１部材の突部、凹陥部と第２部材の凹陥部、突部をそれぞれ嵌合して補助部品とした請求項１記載の建具。
【請求項７】
第１部材の突部、第２部材の突部に中間小径孔を対向して有し、この中間小径孔にビスの螺合子を螺合し、
そのビスを溝の底面に突き当てることで各凹部を各突片に押しつけるようにした請求項６記載の建具。
【請求項８】
枠体に障子を開閉自在に取付け、その枠体の枠材に補助部品を取付けた建具であって、
前記枠材は、面外方向に対向した突片を有し長手方向に連続した溝を備え、
前記補助部品は、第１部材と第２部材を備え、
前記第１部材は、一側面に前記一方の突片と前記溝の底面との間に嵌合する摺動突片を有し、他側面に突部を有し、前記溝の面外方向一側寄りに長手方向にスライド自在に取付けられる形状で、
前記第２部材は、他側面に前記他方の突片と前記溝の底面との間に嵌合する摺動突片を有し、一側面に凹陥部を有し、前記溝の面外方向他側寄りに長手方向にスライド自在に取付けられる形状で、
前記第１部材と第２部材は、長手方向にスライドすることで前記突部と凹陥部が嵌合して一体的に連結されることを特徴とする建具。
【発明の詳細な説明】
【技術分野】
【０００１】
本発明は、片引き窓、引き違い窓などの枠体に障子を閉じ位置と開き位置に亘って面内方向に移動自在に取付けした建具に関する。
【背景技術】
【０００２】
従来、枠体に障子を閉じ位置と開き位置に亘って面内方向に移動自在に取付けした建具においては、閉じ位置の障子を持ち上げることで枠体から外すことができ、防犯などの面から好ましくない。
そこで、枠体に障子外れ止め具を取付け、閉じ位置の障子を枠体から外すことができないようにしている。
例えば、特許文献１に開示したように、枠体の上枠に障子外れ止め具を取付け、閉じ位置の障子を持ち上げた時に障子上部が障子外れ止め具に干渉して上方への移動量を規制することで、障子を外すことができないようにしている。
【特許文献１】実開昭５４−５３３７号公報
【発明の開示】
【発明が解決しようとする課題】
【０００３】
前述した障子外れ止め具を備えた建具においては、メンテナンス等のために障子を枠体から外すことがあるので、前述の障子外れ止め具を、上枠の長手方向にスライド自在とし、障子を開き方向に移動すると共に、障子外れ止め具を障子と離れた位置にスライドして障子を持ち上げた時に障子の上部が障子外れ止め具に干渉しないようにして、障子を枠体から外すことができるようにしている。
例えば、前述した従来の建具においては、上枠に、面外方向に対向した突片を有したあり溝形状の溝を長手方向に連続して形成し、障子外れ止め具を、その両側面に凹溝を有する形状とし、その凹溝を前記溝の対向した突片にスライド自在に嵌合することで、障子外れ止め具を上枠の長手方向にスライド自在に取付けている。
【０００４】
前述のようであるから、障子外れ止め具を交換等するために、上枠から取り外したり、再び取り付けしたりするには、上枠の溝の対向した突片の一部分を切欠き加工し、その切欠き部から障子外れ止め具を取り外し、取り付けしているので、その切欠き加工が面倒である。
【０００５】
前述のことは障子外れ止め具に限ることはなく、風止板、クレセントストッパなどを、対向した突片を有したあり溝形状の溝にスライド自在に嵌合して取付ける場合も同様である。
すなわち、障子外れ止め具、風止板、クレセントストッパ等の補助部品を、枠体を構成する枠材の対向した突片を有したあり溝形状の溝に嵌合して取付けた場合には、その対向した突片を切欠き加工して補助部品を取り外し、取り付け自在としなければならない。
【０００６】
本発明の目的は、面外方向に対向した突片を有した溝に補助部品を、その対向した突片を切欠き加工することなしに取り付け、取り外しできるようにした建具を提供することである。
【課題を解決するための手段】
【０００７】
本発明は、枠体に障子を開閉自在に取付け、その枠体の枠材に補助部品を取付けた建具であって、
前記枠材は、面外方向に対向した突片を有し長手方向に連続した溝を備え、
前記補助部品は、第１部材と第２部材を備え、
前記第１部材は、一側面に前記一方の突片に嵌合する凹部を長手方向に連続して有し、他側面に突部を有し、前記溝の面外方向一側寄りに長手方向にスライド自在に取付けられる形状で、
前記第２部材は、他側面に前記他方の突片に嵌合する凹部を長手方向に連続して有し、一側面に凹陥部を有し、前記溝の面外方向他側寄りに長手方向にスライド自在に取付けられる形状で、
前記第１部材と第２部材は、長手方向にスライドすることで前記突部と凹陥部が嵌合して一体的に連結されることを特徴とする建具である。
【０００８】
本発明は次のようであっても良い。
すなわち、枠体に障子を開閉自在に取付け、その枠体の枠材に補助部品を取付けた建具であって、
前記枠材は、面外方向に対向した突片を有し長手方向に連続した溝を備え、
前記補助部品は、第１部材と第２部材を備え、
前記第１部材は、一側面に前記一方の突片と前記溝の底面との間に嵌合する摺動突片を有し、他側面に突部を有し、前記溝の面外方向一側寄りに長手方向にスライド自在に取付けられる形状で、
前記第２部材は、他側面に前記他方の突片と前記溝の底面との間に嵌合する摺動突片を有し、一側面に凹陥部を有し、前記溝の面外方向他側寄りに長手方向にスライド自在に取付けられる形状で、
前記第１部材と第２部材は、長手方向にスライドすることで前記突部と凹陥部が嵌合して一体的に連結されることを特徴とする建具である。
【０００９】
本発明においては、面外方向の一側面に、長手方向に連続した凹部を有し、面外方向の他側面の長手方向一端寄りに突部、他端寄りに凹陥部を有する部材を第１部材とし、
前記部材を長手方向に反転することで第２部材とすることができる。
このようにすれば、第１部材と第２部材を同一部材とすることができるので、補助部品の製作が容易であると共に、コストを安くできる。
【００１０】
本発明においては、補助部品の表側面と裏側面に貫通してビス挿通孔を形成し、このビス挿通孔にビスを螺合して溝の底面に突き当てることで各凹部を各突片に押しつけるようにできる。
このようにすれば、ビスを螺合することで補助部品を長手方向に移動しないようにしっかりと保持できるし、前記ビスを緩めることで補助部品を枠材の溝に沿って長手方向にスライドできる。
したがって、補助部品を障子外れ止め具とした場合に、通常時には障子外れ止め具を所定の位置で保持して障子を確実に外れ止めできるし、障子を外す時等には所定の他の位置までスムーズに移動できる。
【００１１】
本発明においては、ビス挿通孔は大径孔と小径孔を有し、かつ第１部材の他側面と第２部材の一側面に対向して形成した半円形凹部で形成され、
ビスの螺子部が、前記小径孔の半円形凹部における開口縁部分のみを削りながら螺合するようにできる。
このようにすれば、ビスの螺子部が小径孔を削りながら螺合する際に、第１・第２部材を面外方向に離隔しようとする力が作用しないので、第１部材の他側面と第２部材の一側面が隙間なく接するようにすることが可能である。
【００１２】
本発明においては、第１部材の他側面、第２部材の一側面における大径孔の半円形凹部を形成した部分が接し、
前記第１部材の他側面、第２部材の一側面における小径孔の半円形凹部を形成した部分が面外方向に離隔して小径孔を仮想長円形状とすることで、ビスの螺子部が小径孔の半円形凹部の開口縁部分を削りながら螺合するようにできる。
このようにすれば、第１部材の他側面と第２部材の一側面の表側面側部分が隙間なく接するので、その第１・第２部材（補助部品）の表側の見栄えを良くできる。
【００１３】
本発明においては、面外方向の一側面の上下に、長手方向に連続した凹部をそれぞれ有し、面外方向他側面の上下に、突部と凹陥部を長手方向に連続して有する部材を第１部材とし、
この部材を長手方向及び上下方向に反転して第２部材とし、
前記第１部材の突部、凹陥部と第２部材の凹陥部、突部をそれぞれ嵌合して補助部品とすることができる。
このようにすれば、第１部材と第２部材を同一部材とすることができるので、補助部品の製作が容易であると共に、コストが安くできる。
また、補助部品を上下反転して溝に取付けできる。
【００１４】
本発明においては、補助部品を前述のようにした場合には、第１部材の突部、第２部材の突部に中間小径孔を対向して有し、この中間小径孔にビスの螺合子を螺合し、
そのビスを溝の底面に突き当てることで各凹部を各突片に押しつけるようにできる。
このようにすれば、ビスの螺子部が中間小径孔に螺合することで第１部材と第２部材が面外方向に離隔しようとする力が作用しないので、第１部材の他側面と第２部材の一側面が隙間なく接することが可能である。
【発明の効果】
【００１５】
本発明によれば、第１部材と第２部材を、対向した突片を有した溝の面外方向一側寄り、他側寄りにそれぞれ嵌合して取付け、その第１部材と第２部材を長手方向に接近してスライドすることで突部と凹陥部を嵌合することで一体的に連結することができる。
また、前述の状態から第１・第２部材を長手方向に離れる方向にスライドして突部と凹陥部を離脱すれば第１部材と第２部材が別々に分離される。
したがって、面外方向に対向した突片を有した溝に補助部品を、その対向した突片を切欠き加工せずに取り付け、取り外しできる。
【発明を実施するための最良の形態】
【００１６】
図１に示すように、枠体１に障子２を開閉自在に取付けてある。例えば、閉じ位置と開き位置とに亘って面内方向に移動自在に取付けて建具としてある。
前記枠体１は上の枠材１０と下の枠材１１と左右の縦の縦材１２，１２を方形状に連結してある。
前記障子２は上框２０と下框２１と左右の縦框２２，２２を方形状に連結し、その内部にガラス２３が装着してある。
この実施の形態では、図１と図２に示すように、障子２は枠体１の室外側寄りに上下の枠材１０，１１の長手方向に沿って移動自在に取付けてあると共に、その枠体１の室内側寄りに固定障子３が取付けられ、外動片引き窓としてある。
これに限ることはなく、内動片引き窓、引き違い窓などでも良い。
【００１７】
前記枠体１の枠材には補助部品が取付けてある。
例えば、上の枠材１０に障子外れ止め具４が取付けてある。
前記上の枠材１０は図２に示すように、面外方向に対向した突片１３を有したあり溝形状の溝１４を長手方向に連続して有している。前記面外方向とは長手方向と直交する方向である。
この溝１４に沿って一対の障子外れ止め具４が長手方向にスライド自在に取付けてある。
前記障子外れ止め具４が図１に点線で示す位置であると、図１に実線で示す閉じ位置の障子を持ち上げた時に障子上部と干渉して障子２を外すことができない。
前記障子２を取り外す時や取り付ける時には、障子外れ止め具４を２点鎖線で示す左右の縦材１２寄りの位置とし、障子２を閉じ位置から開き方向に移動して２点鎖線で示す位置として障子２を持ち上げた時に障子上部が障子外れ止め具４と干渉しないようにする。
【００１８】
前記障子外れ止め具４は図３と図４に示すように、第１部材３０と第２部材４０を有している。
前記第１部材３０は、面外方向の一側面３０ａ（室外側面）に凹部３１を長手方向に連続して有し、面外方向の他側面３０ｂ（室内側面）には突部３２を有している。
前記凹部３１は上の枠材１０の溝１４の面外方向一方の突片１３に嵌合する形状で、前記第１部材３０は前記溝１４の面外方向一側寄りに長手方向にスライド自在に嵌合して取付けられる。
【００１９】
前記第２部材４０は、面外方向の一側面４０ａ（室外側面）に凹陥部４１を有し、面外方向の他側面４０ｂ（室内側面）に凹部４２を長手方向に連続して有している。
前記凹部４２は上の枠材１０の溝１４の面外方向他方の突片１３に嵌合する形状で、前記第２部材４０は前記溝１４の面外方向他側寄りに長手方向にスライド自在に嵌合して取付けられる。
【００２０】
前記第１部材３０の突部３２と第２部材４０の凹陥部４１は、第１・第２部材３０，４１を長手方向（上の枠材１０の長手方向）に移動することで嵌合する形状である。
そして、前記突部３２と凹陥部４１が嵌合することで第１部材３０と第２部材４０は一体的に連結されて障子外れ止め具４となり、前記対向した突片１３を有した溝１４に嵌合して取付けられる。
【００２１】
このようであるから、図４に２点鎖線で示すように、上の枠材１０の溝１４の面外方向一側寄りに第１部材３０、面外方向他側寄りに第２部材４０を長手方向に離隔してそれぞれ嵌合して取付け、その第１・第２部材３０，４０を長手方向に接近する方向にスライドして突部３２と凹陥部４１を嵌合することで一体的に連結され、障子外れ止め具４を溝１４に取付けできる。
【００２２】
また、前述のように取付けた状態から取り外しするには、第１部材３０と第２部材４０を長手方向に離れる方向にスライドして突部３２と凹陥部４１を離脱して図４に２点鎖線で示す位置とし、第１・第２部材３０，４０を溝１４からそれぞれ取り外しすれば良い。
【００２３】
したがって、面外方向に対向した突片１３に切欠き加工することなしに、障子外れ止め具４を取り付け、取り外しできる。
【００２４】
図４、図５、図６に示すように、前記第１部材３０は他側面３０ｂの長手方向一端部分に突部３２を有し、かつ長手方向他端部分に凹陥部３３を有している。
前記第２部材４０は一側面４０ａの長手方向一端部分に凹陥部４１を有し、かつ長手方向一端部分に突部４３を有している。
そして、第１部材３０の突部３２、凹陥部４３と第２部材４０の凹陥部４１、突部４３がそれぞれ嵌合すると共に、各突部３２，４３、凹陥部３３，４１は同一の大きさである。
要するに、第１部材３０と第２部材４０は同一部材で、どちらか一方の部材を長手方向に反転して取付けるようにしてある。
【００２５】
このようにすれば、１つの部材を複数製作すれば良く、その製作が容易で、コスト安である。
例えば、部材を樹脂によって射出成形で製作する場合に、１つの金型を用いて製作できるので、コスト安である。
【００２６】
前記障子外れ止め具４は長手方向に動かないようにしっかりと支持できるようにしてある。
例えば、図７に示すように障子外れ止め具４にビス挿通孔５０を、表側面４ａと裏側面４ｂに貫通して形成し、このビス挿通孔５０にビス５を、表側面４ａから回転しながら押し込んで螺合し、そのビス５を裏側面４ｂより突出して溝１４の底面１４ａに突き当てることで、第１・第２部材３０，４０の凹部３１，４２を突片１３に押しつけて長手方向に動かないように支持する。
【００２７】
前記ビス挿通孔５０は、表側面４ａに開口した大径孔５１と裏側面４ｂに開口した小径孔５２を有する段付き孔で、その大径孔５１、小径孔５２は第１部材３０の他側面３０ｂに形成した第１半円形凹部５１ａ，５２ａと第２部材４０の一側面４０ａに形成した第２半円形凹部５１ｂ，５２ｂとで形成される。
前記ビス５の螺子部５ａは小径孔５２よりも大径で、そのビス５を回転することで螺子部５ａが小径孔５２の内周面を螺旋状に削りながら螺合するようにしてあるが、前記第１半円形凹部５２ａ、第２半円形凹部５２ｂの面外方向の両側部分５２ａ−１，５２ｂ−１には螺合せずに、長手方向両側部分（開口縁部分）５２ａ−２，５２ｂ−２にのみ螺合するようにしてある。
【００２８】
このようにすることで、ビス５の螺子部５ａを第１・第２部材３０，４０の第１半円形凹部５２ａと第２半円形部５２ｂとより成る小径部５２に螺合することで、第１部材３０と第２部材４０を面外方向に離隔しようとする力が作用しないので、第１部材３０の他側面３０ｂと第２部材４０の一側面４０ａを、図４に示すように、その表側に隙間が生じることなしに接することができる。
つまり、ビス５の螺子部５ａが第１・第２半円形凹部５２ａ，５２ｂの面外方向の両側部分５２ａ−１，５２ｂ−１に螺合すると、第１部材３０と第２部材４０を面外方向に離隔しようとする力が作用し、第１部材３０の他側面３０ｂと第２部材４０の一側面４０ａとの間に隙間が生じてしまう。
【００２９】
例えば、前記第１部材３０の他側面３０ｂを、表側部分３０ｂ−１よりも裏側部分３０ｂ−２が面外方向一側寄りにずれた階段形状とし、その表側部分３０ｂ−１に第１半円形凹部５１ａを形成し、裏側部分３０ｂ−２に第１半円形凹部５２ａを形成する。
前記第２部材４０の一側面４０ａを、表側部分４０ａ−１よりも裏側部分４０ａ−２が面外方向他側寄りにずれた階段形状とし、その表側部分４０ａ−１に第２半円形凹部５１ａを形成し、裏側部分４０ａ−２に第２半円形部５２ｂを形成する。
そして、第１・第２部材３０，４０を、表側部分３０ｂ−１，４０ａ−１が接すると共に、裏側部分３０ｂ−２，４０ａ−２が離隔するように溝１４に取付け、大径孔５１の第１・第２半円形凹部５１ａ，５１ｂが真円形状に連続し、小径孔５２の第１・第２半円形凹部５２ａ，５２ｂは間隔を置いて相対向して仮想長円形状となるようにする。
【００３０】
これによって、図５に仮想線で示すようにビスの螺子部５ａが第１・第２半円形凹部５２ａ，５２ｂの開口縁部分５２ａ−２，５２ｂ−２にのみ螺合するようになる。
【００３１】
次に、本発明の第２の実施の形態を図８〜図１０に基づいて説明する。
この実施の形態は、第１部材３０と第２部材４０が同一部材で、どちらか一方の部材を長手方向及び上下方向に反転して取付けることで障子外れ止め具４とすることができ、その障子外れ止め具４を上下反転して溝１４に取付けできるようにしてある。
前記第１部材３０は、面外方向の一側面３０ａにおける上面３０ｃ寄りと下面３０ｄ寄りに凹部３１を長手方向に連続して有する。
この第１部材３０は、面外方向の他側面３０ｂにおける上面３０ｃ寄りに突部３２、下面３０ｄ寄りに凹陥部３３を長手方向に連続してそれぞれ有する。
前記第２部材４０は、面外方向の一側面４０ａにおける上面４０ｃ寄りに凹陥部４１、下面４０ｄ寄りに突部４３を長手方向に連続してそれぞれ有する。
この第２部材４０は、面外方向の他側面４０ｂにおける上面４０ｃ寄りと下面４０ｄ寄りに凹部４２を長手方向に連続して有する。
【００３２】
前記第１部材３０の突部３２、凹陥部３３と第２部材４０の凹陥部４１、突部４３は、第１・第２部材３０，４０を長手方向（上の枠材１０の長手方向）に移動することで嵌合し、第１・第２部材３０，４０を連結する形状である。
そして、第１部材３０と第２部材４０を前述のようにして連結すると第１部材３０の他側面３０ｂと第２部材４０の一側面４０ａが隙間なく接する。
【００３３】
前記第１部材３０と第２部材４０は左右点対称形であると共に、上下方向も点対称形で、この第１部材３０と第２部材４０は同一部材で、どちらか一方の部材を長手方向及び上下方向に反転して取付けることで障子外れ止め具４としてある。
また、障子外れ止め具４は、その面外方向の両側の上下に凹部３１，４２をそれぞれ有しているので、上下反転して対向した突片１３を有した溝１４に嵌合して取付けできる。
【００３４】
前記ビス挿通孔５０は、第１部材３０の突部３２、第２部材４０の突部４３に対向して形成した中間小径孔５３と、この中間小径孔５３と連続し、上面４ｂに開口した上大径孔５４と、下面４ａに開口した下大径孔５５を有している。
前記上大径孔５４は第１部材３０の他側面３０ｂの上部に形成したコ字状凹部５４ａと第２部材４０の一側面４０ａの上部に形成したコ字状凹部５４ｂで矩形状としてある。
前記下大径孔５５は第１部材３０の他側面３０ｂの下部に形成したコ字状凹部５５ａと第２部材４０の一側面４０ａの上部に形成したコ字状凹部５５ｂで矩形状としてある。
【００３５】
前記ビス５は、その螺子部５ａを各中間小径孔５３に押しつけながら回転することで内周面を螺旋状に削りながら螺合することで、溝１４の底面１４ａに押しつけるようにしてある。
これによって、第１・第２部材３０，４０の凹部３１，４２を突片１３に押しつけて長手方向に動かないように支持する。
なお、前記第１・第２部材３０，４０の突部３２，４３の中間小径孔５３を形成した部分に凹陥部３２ａ、４３ａを形成して薄肉とし、ビス５の頭部が突出しないようにしてある。
【００３６】
次に、本発明の第３の実施の形態を図１１に基づいて説明する。
この実施の形態は、前述の第１の実施の形態における凹部３１，４２を設けずに摺動突片３４，４４のみで溝１４に沿ってスライド自在に取付けたことが第１の実施の形態と相違し、他の構成は第１の実施の形態と同様である。
図１１に示すように、第１部材３０は、その一側面３０ａの上部に摺動突片３４を有している。
この摺動突片３４は一側面３０ａよりも面外方向一側方に突出し、一方の突片１３と溝１４の底面１４ａとの間に長手方向にスライド自在に嵌合する形状である。
前記第１部材３０の他側面３０ｂは突部３２を有し、その他側面３０ｂの形状は前述の第１の実施の形態と同様である。
【００３７】
第２部材４０は、その他側面４０ｂの上部に摺動突片４４を有している。
この摺動突片４４は他側面４０ｂよりも面外方向他側方に突出し、他方の突片１３と溝１４の底面１４ａとの間に長手方向にスライド自在に嵌合する形状である。
前記第２部材４０の一側面４０ａは凹陥部４１を有し、その一側面４０ａの形状は前述の第１の実施の形態と同様である。
【００３８】
このようであるから、第１・第２部材３０，４０を第１の実施の形態と同様にして一対の突片１３を有した溝１４に、その突片１３を切欠き加工することなしに、障子外れ止め具４を取り付け、取り外しできる。
また、第１部材３０と第２部材４０は同一部材で、どちらか一方の部材を長手方向に反転して取付けできる。
【００３９】
次に、本発明の第４の実施の形態を図１２に基づいて説明する。
この実施の形態は、前述の第２の実施の形態における上下の凹部３１，４２を設けずに摺動突片３４，４４のみで溝１４に沿ってスライド自在に取付けたことが第２の実施の形態と相違し、他の構成は第２の実施の形態と同様である。
図１２に示すように、第１部材３０は、その一側面３０ａの上部と下部に摺動突片３４をそれぞれ有している。
この各摺動突片３４は一側面３０ａよりも面外方向一側方に突出し、一方の突片１３と溝１４の底面１４ａとの間に長手方向にスライド自在に嵌合する形状である。
前記第１部材３０の他側面３０ｂは突部３２と凹陥部３３を有し、その他側面３０ｂの形状は前述の第２の実施の形態と同様である。
【００４０】
第２部材４０は、その他側面４０ｂの上部と下部に摺動突片４４をそれぞれ有している。
この各摺動突片４４は他側面４０ｂよりも面外方向他側方に突出し、他方の突片１３と溝１４の底面１４ａとの間に長手方向にスライド自在に嵌合する形状である。
前記第２部材４０の一側面４０ａは凹陥部４１を有し、その一側面４０ａの形状は前述の第２の実施の形態と同様である。
【００４１】
このようであるから、第１・第２部材３０，４０を第２の実施の形態と同様にして一対の突片１３を有した溝１４に、その突片１３を切欠き加工することなしに、障子外れ止め具４を取り付け、取り外しできる。
また、第１部材３０と第２部材４０は同一部材で、どちらか一方の部材を長手方向及び上下方向に反転して取付けできる。
【００４２】
前記障子外れ止め具４を長手方向に動かないようにしっかりと支持できるようにするには、前述の構成に限ることはない。
例えば、突部３２をクサビ形状とし、その突部３２と凹陥部４１が螺合することで、第１部材３０と第２部材４０が面外方向に離れようとする力が作用し、各凹部３１，４２の底面が突片１３に押しつけられることで、長手方向に動かないようにしっかりと支持するようにしても良い。
【００４３】
以上の説明では、補助部品を障子外れ止め具としたが、図１に２点鎖線で示すように風止板６、クレセントストッパ７とすることもできる。
例えば、風止板６の場合には図１３に示すように、第１部材５０を一側取付片５１とヒレ片５２を有し、その面外方向一側面に凹部５３、他側面に凹陥部５４を有する形状とする。
第２部材５５を他側取付片５６の面外方向一側面に突部５７を有し、他側面に凹部５８を有する形状とする。
そして、第１部材５０を、その凹部５３を凹溝１４の一方の突片１３に嵌合して取付けると共に、第２部材５５を、その凹部５８を凹溝１４の他方の突片１３に嵌合して取付け、両者を長手方向にスライドして凹陥部５３と突部５７を嵌合して第１部材５０と第２部材５５を連結する。
【００４４】
また、クレセントストッパ７の場合には図１４に示すように、第１部材７０の面外方向一側面に凹部７１、他側面に突部７２をそれぞれ形成し、第２部材７３の面外方向一側面に凹陥部７４、他側面に凹部７５をそれぞれ形成する。
そして、第１部材７０と第２部材７１を前述のように溝１４に取付け、長手方向にスライドして突部７２と凹陥部７４を嵌合して連結する。
【図面の簡単な説明】
【００４５】
【図１】本発明の実施の形態を示す建具の概略外観図である。
【図２】本発明の実施の形態を示す建具の詳細縦断面図である。
【図３】図２における障子外れ止め具の取付部分の拡大図である。
【図４】図３の底面図である。
【図５】障子外れ止め具の拡大底面図である。
【図６】障子外れ止め具の分解斜視図である。
【図７】障子外れ止め具をビスで保持している部分の断面図である。
【図８】本発明の第２の実施の形態を示す障子外れ止め具の取付部分の断面図である。
【図９】障子外れ具の連結状態の斜視図である。
【図１０】障子外れ具の分解斜視図である。
【図１１】本発明の第３の実施の形態を示す障子外れ止め具の取付部分の断面図である。
【図１２】本発明の第４の実施の形態を示す障子外れ止め具の取付部分の断面図である。
【図１３】風止板の斜視図である。
【図１４】クレセントストッパの分解斜視図である。
【符号の説明】
【００４６】
１…枠体、２…障子、４…障子外れ止め具（補助部品）、４…ビス、５ａ…螺子部、１０…上の枠材、１３…突片、１４…溝、３０…第１部材、３０ａ…一側面、３０ｂ…他側面、３１…凹部、３２…突部、３３…凹陥部、３４…摺動突片、４０…第２部材、４０ａ…一側面、４０ｂ…他側面、４１…凹陥部、４２…突部、４３…突部、４４…摺動突片、５０…ビス挿通孔、５１…大径孔、５１ａ…第１半円形凹部、５１ｂ…第２半円形凹部、５２…小径孔、５２ａ…第１半円形凹部、５２ｂ…第２半円形凹部、５３…中間小径孔。
【図１】
2008196186.tif 000003
【図２】
2008196186.tif 000004
【図３】
2008196186.tif 000005
【図４】
2008196186.tif 000006
【図５】
2008196186.tif 000007
【図６】
2008196186.tif 000008
【図７】
2008196186.tif 000009
【図８】
2008196186.tif 000010
【図９】
2008196186.tif 000011
【図１０】
2008196186.tif 000012
【図１１】
2008196186.tif 000013
【図１２】
2008196186.tif 000014
【図１３】
2008196186.tif 000015
【図１４】
2008196186.tif 000016